(57)【要約】      （修正有）【課題】ディスプレイの位置が調節かつ固定でき、パーツ簡略、コスト削減及び組み立てが容易なディスプレイ支持装置を提供する。【解決手段】基台２と基台に固設され両側に支持軸と補助支持軸が設けられ支持軸にはストッパーが付けられている支持固定座３と、両側に連結用側板とリンク部材が設けられ、連結用側板とリンク部材の下部は外側から第１ボルトと内側の第１ナットで支持軸と補助支持軸とに固設され、連結用側板とリンク部材の上部は固定用取付板部分に設けられた第２ボルトと内側の第２ナットで固設される構造の連結用取付板４と、係合溝と１個以上の係合点が設けられた固定用取付板５と、固定用取付板の側面に取り付ける固定ワッシャ４４４とロックワッシャ４４３により構成されたディスプレイ支持装置。【選択図】図３
0003131040.tif 000002
【実用新案登録請求の範囲】
【請求項１】
基台と、
基台に固設され両側に支持軸と補助支持軸が設けられ支持軸にはストッパーが付けられている支持固定座と、
両側に連結用側板とリンク部材が設けられ、連結用側板とリンク部材の下部は外側から第１ボルトと内側の第１ナットで支持軸と補助支持軸とに固設され、連結用側板とリンク部材の上部は固定用取付板部分に設けられた第２ボルトと内側の第２ナットで固設される構造の連結用取付板と、
係合溝と１個以上の係合点が設けられた固定用取付板と、
固定用取付板の側面に取り付ける固定ワッシャとロックワッシャ、
により構成されたディスプレイ支持装置。
【請求項２】
固定ワッシャには１個以上の凹部及び一個以上の係合孔が設けられていることを特徴とする請求項１記載のディスプレイ支持装置。
【請求項３】
ロックワッシャには１個以上の凸部及び一個以上の係合片が設けられ、また凸部は滑らかな突起になっていることを特徴とする請求項１記載のディスプレイ支持装置。
【考案の詳細な説明】
【技術分野】
【０００１】
本考案は、ディスプレイの位置が調節且つ固定可能で、更にはパーツの簡略化、コスト削減、及び組み立ての高速化を目的とするディスプレイ支持装置。
【背景技術】
【０００２】
アメリカの特許広報の特許証書第6822857号にある、改良されたディスプレイ支持装置は、基台と連結用取付板と固定用取付板からなり、連結用取付板の片方は基台に固設され、もう片方は固定用取付板に固設され、固定用取付板はディスプレイに固設され、連結用取付板の片方はボルトと数個のワッシャで固定用取付板に固設され、連結用取付板の片方はボルトと数個のワッシャ及びスプリングで基台に固設され、連結用取付板によりディスプレイは角度を変えることができ、同時にスプリングは連結用取付板とディスプレイの角度調整を制限し、連結用取付板の破損防止の役割を持つことを特徴とするディスプレイ支持装置である。
【０００３】
ただ、上記の改良されたディスプレイ支持装置は連結用取付板の破損防止の役割を持っているが、パーツが多いのと、スプリング疲労時には、その連結用取付板の破損防止の役割を無くしてしまう、また、パーツが多い為、組み立ても複雑で、コストも高くなってしまう、より良い経済効果が求められる今日においては、コスト削減、組み立ての簡略化、及び生産率のアップが求められている。
【特許文献１】米国特許第6822857号公報
【考案の開示】
【考案が解決しようとする課題】
【０００４】
本考案は、ディスプレイの位置が調節且つ固定可能なディスプレイ支持装置で、更にはパーツの簡略化、コスト削減、及び組み立ての高速化を提供することを目的とする。
【課題を解決するための手段】
【０００５】
上記の目的を達成する為、本考案のディスプレイ支持装置は、
基台と、基台に固設され、両側に支持軸と補助支持軸が設けられ、支持軸にはストッパーが付けられ、補助支持軸が支持軸の内側に固設されている支持固定座と、両側に連結用側板とリンク部材が設けられ、連結用側板とリンク部材の下部は外側から第１ボルトと内側の第１ナットで支持軸と補助支持軸とに固設され、連結用側板とリンク部材と支持軸と補助支持軸の間にはいくつかのワッシャが挟まれ、連結用側板とリンク部材の上部は固定用取付板部分に設けられた第２ボルトと内側の第２ナットで固設された固定用取付板からなる。
すなわち本考案のディスプレイ支持装置は、基台と、基台に固設され両側に支持軸と補助支持軸が設けられ支持軸にはストッパーが付けられている支持固定座と、両側に連結用側板とリンク部材が設けられ、連結用側板とリンク部材の下部は外側から第１ボルトと内側の第１ナットで支持軸と補助支持軸とに固設され、連結用側板とリンク部材の上部は固定用取付板部分に設けられた第２ボルトと内側の第２ナットで固設される構造の連結用取付板と、係合溝と１個以上の係合点が設けられた固定用取付板と、固定用取付板の側面に取り付ける固定ワッシャとロックワッシャ、により構成される。
固定ワッシャには１個以上の凹部及び一個以上の係合孔が設けられていることを特徴とする。
また、ロックワッシャには１個以上の凸部及び一個以上の係合片が設けられ、また凸部は滑らかな突起になっていることを特徴とする。
【考案の効果】
【０００６】
固定用取付板とリンク部材と連結用側板の間にはいくつかのワッシャと、固定用取付板の側面に取り付く固定ワッシャと、ロックワッシャを有し、固定ワッシャには１個以上の凹部及び一個以上の係合孔が設けられ、ロックワッシャには１個以上の凸部及び一個以上の係合片が設けられ、
支持軸のストッパーは連結用取付板を保護する役割を持ち、また使用者の過度な調整を防止し、ディスプレイの前方への倒れも防止する役目を持つ、ロックワッシャに設けられた凹部と固定ワッシャに設けられた凸部によって、ディスプレイの固定用取付板をいろんな角度に調節が可能になり、このことから本考案はパーツの簡略化、コスト削減、及び組み立ての高速化につながる。
【考案を実施するための最良の形態】
【０００７】
本考案の技術及び作動工程を図をもとに更に詳しく説明する。
図１、２は本考案のディスプレイ支持装置の図であり、
基台２と、
基台２に固設され、両側に支持軸３と補助支持軸３２が設けられ、支持軸３１にはストッパー３１１が付けられ、補助支持軸３２が支持軸３１の内側に固設されている支持固定座３と、両側に連結用側板４１とリンク部材４２が設けられ、連結用側板４１の幅は支持固定座３よりも広く、連結用側板４１とリンク部材４２の下部は外側から第１ボルト４３１と内側の第１ナット４３２で支持軸３１と補助支持軸３２とに固設され、連結用側板４１とリンク部材４２と支持軸３１と補助支持軸３２の間にはいくつかのワッシャ６が挟まれ、連結用側板４１とリンク部材４２の上部は固定用取付板部分５に設けられた第２ボルト４４１と内側の第２ナット４４２で固設された固定用取付板４からなり、固定用取付板５にはディスプレイ７が取り付けられ、
図３のように、
固定用取付板５には係合溝５２と１個以上の係合点５１が設けられ、
固定用取付板５とリンク部材４２と連結用側板４１の間にはいくつかのワッシャ６と、固定用取付板５の側面に取り付く固定ワッシャ４４４と、ロックワッシャ４４３を有し、固定ワッシャ４４４には１個以上の凹部４４４２及び一個以上の係合孔４４４１が設けられ、ロックワッシャ４４３には１個以上の凸部４４３１及び一個以上の係合片４４３２が設けられ、凸部４４３１は滑らかな突起になっており、固定用取付板５の係合点５１は固定ワッシャ４４４の係合孔４４４１に係合し、ロックワッシャ４４３の凸部４４３１は固定ワッシャ４４４の凹部４４４２に係合し、凸部４４３１は滑らかな突起になっており、固定ワッシャ４４４の凹部４４４２及び、その凹部４４４２は斜め状にえぐれており、このことによりディスプレイ７の固定用取付板５は多角な角度調節が可能になり、
ロックワッシャ４４３の係合片４４３２は固定用取付板５の係合溝５２に係合することで、使用者が水平方向に角度調節をした際のディスプレイ７の前方への倒れを防止し、
図４、５のように、ディスプレイ７は多角な角度調節が可能であり、
図６のように、ディスプレイ７は上下の角度調節も可能であり、
支持軸３１のストッパー３１１は使用者の過度な調整を防止し、固定用取付板５に設けられたディスプレイ７の支持軸３側への倒れを防止する役割を持つ。
【図面の簡単な説明】
【０００８】
【図１】本考案の立体図を示す図である。
【図２】本考案の分解図を示す図である。
【図３】本考案の固定用取付板５のパーツ部分を示す図である。
【図４】本考案の使用前の状態を示す側面図である。
【図５】本考案のディスプレイの角度調整を示す概略側面図である。
【図６】本考案のディスプレイの上下移動を示す概略側面図である。
【符号の説明】
【０００９】
２、基台
３、支持固定座
３１、支持軸
３１１、ストッパー
３２、補助支持軸
４、連結用取付板
４２、リンク部材
４３１、第１ボルト
４３２、第１ナット
４４１、第２ボルト
４４２、第２ナット
４４３、ロックワッシャ
４４３１、凸部
４４３２、係合片
４４４、固定ワッシャ
４４４１、係合孔
４４４２、凹部
５、固定用取付板
５１、係合点
５２、係合溝
６、ワッシャ
７、ディスプレイ
【図１】
0003131040.tif 000003
【図２】
0003131040.tif 000004
【図３】
0003131040.tif 000005
【図４】
0003131040.tif 000006
【図５】
0003131040.tif 000007
【図６】
0003131040.tif 000008